(57)【要約】【課題】天板下の空間を効率的に利用可能なデスクシステムを提供する。【解決手段】デスクシステムＤＳは、扇形天板１を連ねて少なくとも一箇所が途切れた環状テーブルを構成し、この環状テーブルの内周側に天板１下の下肢空間Ｐを含む着座空間を形成するとともに、環状テーブルの外周側に開放され外側から利用可能な外向き収納空間Ｓ１を形成している。【選択図】図４
2012090988.tif 000002
【特許請求の範囲】
【請求項１】
扇形天板を連ねて少なくとも一箇所が途切れた環状テーブルを構成し、この環状テーブルの内周側に天板下の下肢空間を含む着座空間を形成するとともに、当該環状テーブルの外周側に開放され外側から利用可能な外向き収納空間を形成したことを特徴とするデスクシステム。
【請求項２】
扇形天板の内周縁に沿う形状の弾性変形可能な扇形エッジ部材が、環状の中心方向に突出するように扇形天板の内周縁に取り付けてある請求項１に記載のデスクシステム。
【請求項３】
扇形天板の外周縁に沿って可撓性のあるデスクトップパネルを弾性により湾曲させた状態で配置している請求項１又は２に記載のデスクシステム。
【請求項４】
デスクトップパネルが、扇形天板の外周縁に沿って複数に分割されており、各々の側縁同士を突き合わせた状態で配置されている請求項３に記載のデスクシステム。
【請求項５】
扇形天板の外周縁を包囲する位置に板状の湾曲ビームを配置し、この湾曲ビームに前記デスクトップパネルを係り合わせている請求項１〜４のいずれかに記載のデスクシステム。
【請求項６】
前記湾曲ビームと同一曲率の湾曲カバー部材を設け、この湾曲カバー部材に前記デスクトップパネルの上縁を湾曲させた状態で係り合わせるとともに、この湾曲カバー部材に湾曲方向に沿ったライン照明を設けている請求項５に記載のデスクシステム。
【請求項７】
外向き収納空間の外周側を閉止可能な位置に扇形天板の外周縁に沿った形状の湾曲外側パネルを備え、この湾曲外側パネルは閉止状態で前記湾曲ビームと略面一な状態となる請求項５又は６に記載のデスクシステム。
【請求項８】
扇形天板を支持する天板支持ユニットが放射方向に延びる一対の天板支持パネルを備え、これらの天板支持パネルの外周側に前記扇形天板の外周縁に沿った形状の巾木を取り付け、この巾木が湾曲ビームともども天板支持ユニットに連結される請求項５〜７のいずれかに記載のデスクシステム。
【請求項９】
前記少なくとも一箇所が途切れた環状テーブルを構成する扇形天板のうち端部に位置する扇形天板同士の間を連結せずにこれら扇形天板下の空間を側方から隠蔽可能なエンドパネルを取り付けている請求項１〜８のいずれかに記載のデスクシステム。
【請求項１０】
下肢空間は、外周側を扇形天板の外周縁に沿った形状の奥行き仕切パネルにより閉止されて内周側に開放されることで形成され、外向き収納空間は、内周側を収納空間仕切パネルにより閉止されて扇形天板の外周側に開放されることで形成されるものである請求項１に記載のデスクシステム。
【請求項１１】
放射方向に配した天板支持パネルによって扇形天板下が湾曲方向に沿って複数の区画に仕切られ、湾曲方向に沿って１つおきの区画に前記下肢空間を構成し、他の区画の全部又は一部に前記外向き収納空間を構成している請求項１又は１０に記載のデスクシステム。
【請求項１２】
前記他の区画のうち外向き収納空間が形成されていない区画の全部又は一部に、扇形天板の湾曲方向に沿った形状の収納空間仕切パネルにより外周側を閉止して内向き収納空間を構成している請求項１１に記載のデスクシステム。
【請求項１３】
下肢空間の外周側を閉止する奥行き仕切パネルを天板の外周縁よりも内周側に変位させて、奥行き仕切パネルの外周側且つ天板の下に、内周側を奥行き仕切パネルにより閉止されて外周側に開放される第二の外向き収納空間を形成している請求項１、１０、１１又は１２のいずれかに記載のデスクシステム。
【発明の詳細な説明】
【技術分野】
【０００１】
本発明は、天板下の空間の利用を適正化したデスクシステムに関する。
【背景技術】
【０００２】
従来のデスクシステムは、特許文献１に例示されるように、矩形天板を直線状に連ねて大型矩形状テーブルを構成し、複数のワーカーが天板下の下肢空間を含む着座空間に着座して執務を行うものが一般的である。かかるデスクシステムでは、天板下に収納具たるワゴン等を配置して、天板下の空間のうちの一部を収納空間とし、使用縁側から収納空間を利用可能にしている。
【先行技術文献】
【特許文献】
【０００３】
【特許文献１】特開２００８−２９５８５３号公報
【発明の概要】
【発明が解決しようとする課題】
【０００４】
ところで、個人単位のワーク及び会議等のグループ単位のワークを円滑に切り換え可能とするために、扇形天板を連ねて一箇所が途切れた環状テーブルを構成し、この環状テーブルの内周縁を複数のワーカーが外周側を向いて執務可能な使用縁に設定してデスクシステムを構成することが一つの有効な手段として考えられる。
【０００５】
しかしながら、かかる環状テーブルにおいて、上記特許文献１のものと同様に天板下の収納空間を内周側（使用縁側）から利用可能に構成すると、天板下の空間は外周側から内周側に向けて狭くなるので、例えば湾曲方向において収納空間開口の寸法を収納空間内部の寸法よりも狭くした場合には、収納空間に収納可能な被収納物のサイズに制約が生じ、収納空間内にデッドスペースが生じる場合がある。逆に、例えば湾曲方向において収納空間開口の寸法を収納空間内部の寸法以上にした場合には、天板下の外周側にデッドスペースが生じてしまう。このように、天板下に収納空間の他に下肢空間を着座可能に設けることを鑑みると、天板下の空間を効率的に利用することが難しい。
【０００６】
本発明は、このような課題に着目してなされたものであって、その目的は、天板下の空間を効率的に利用可能なデスクシステムを提供することである。
【課題を解決するための手段】
【０００７】
本発明は、かかる目的を達成するために、次のような手段を講じたものである。
【０００８】
すなわち、本発明のデスクシステムは、扇形天板を連ねて少なくとも一箇所が途切れた環状テーブルを構成し、この環状テーブルの内周側に天板下の下肢空間を含む着座空間を形成するとともに、当該環状テーブルの外周側に外側から利用可能な外向き収納空間を形成したことを特徴とする。
【０００９】
このように、扇形天板下の空間を環状の内外に区分けして下肢空間及び外向き収納空間を適切に配置することで扇形天板下の空間を効率的に利用することが可能となる。
【００１０】
扇形天板の内周縁に体が触れても不快感を与えないようにするためには、扇形天板の内周縁に沿う形状の弾性変形可能な扇形エッジ部材が、環状の中心方向に突出するように扇形天板の内周縁に取り付けてあることが好ましい。
【００１１】
扇形天板の円弧内外の空間を仕切って利用することを可能ならしめるためには、扇形天板の外周縁に沿って可撓性のあるデスクトップパネルを弾性により湾曲させた状態で配置していることが望ましい。
【００１２】
デスクトップパネルを作り易く且つセットし易くして製造コストを低減させるためには、デスクトップパネルが、扇形天板の外周縁に沿って複数に分割されており、各々の側縁同士を突き合わせた状態で配置されていることが効果的である。
【００１３】
デスクトップパネルの取付場所を確保しつつ取り付けやすくするとともに、外方からの見栄えを向上させるためには、扇形天板の外周縁を包囲する位置に板状の湾曲ビームを配置し、この湾曲ビームに前記デスクトップパネルを係り合わせていることが好ましい。
【００１４】
デスクトップパネルを保形するとともに、扇形天板に沿ってライン照明を配置するためには、前記湾曲ビームと同一曲率の湾曲カバー部材を設け、この湾曲カバー部材に前記デスクトップパネルの上縁を湾曲させた状態で係り合わせるとともに、この湾曲カバー部材に湾曲方向に沿ったライン照明を設けていることが挙げられる。
【００１５】
外観を損なうことなく、外向き収納空間の外周側を閉止する湾曲外側パネルを設けるためには、外向き収納空間の外周側を閉止可能な位置に扇形天板の外周縁に沿った形状の湾曲外側パネルを備え、この湾曲外側パネルは閉止状態で前記湾曲ビームと略面一な状態となるように配置することが望ましい。
【００１６】
扇形天板を支持する天板支持ユニットの剛性を確保するためには、扇形天板を支持する天板支持ユニットが放射方向に延びる一対の天板支持パネルを備え、これらの天板支持パネルの外周側に前記扇形天板の外周縁に沿った形状の巾木を取り付け、この巾木が湾曲ビームともども天板支持ユニットに連結されるのが効果的である。
【００１７】
少ない部材で見栄えを損なうことなく扇形天板の円弧状配置の内外への出入り口を作るためには、前記少なくとも一箇所が途切れた環状テーブルを構成する扇形天板のうち端部に位置する扇形天板同士の間を連結せずにこれら扇形天板下の空間を側方から隠蔽可能なエンドパネルを取り付けていることが好ましい。
【００１８】
簡易な構成で下肢空間及び外向き収納空間を形成するためには、下肢空間は、外周側を扇形天板の外周縁に沿った形状の奥行き仕切パネルにより閉止されて内周側に開放されることで形成され、外向き収納空間は、内周側を収納空間仕切パネルにより閉止されて扇形天板の外周側に開放されることで形成されるものであるのが望ましい。
【００１９】
下肢空間と外向き収納空間とを適切に配置するためには、放射方向に配した天板支持パネルによって扇形天板下が湾曲方向に沿って複数の区画に仕切られ、湾曲方向に沿って１つおきの区画に前記下肢空間を構成し、他の区画の全部又は一部に前記外向き収納空間を構成していることが効果的である。
【００２０】
簡易な構成で内向き収納空間を形成するためには、前記他の区画のうち外向き収納空間が形成されていない区画の全部又は一部に、扇形天板の湾曲方向に沿った形状の収納空間仕切パネルにより外周側を閉止して内向き収納空間を構成していることが好ましい。
【００２１】
簡易な構成で下肢空間の外周側に外向き収納空間を形成するためには、下肢空間の外周側を閉止する奥行き仕切パネルを天板の外周縁よりも内周側に変位させて、奥行き仕切パネルの外周側且つ天板の下に、内周側を奥行き仕切パネルにより閉止されて外周側に開放される第二の外向き収納空間を形成しているのが望ましい。
【発明の効果】
【００２２】
本発明のデスクシステムは、以上説明した構成であるから、扇形天板下の空間を環状の内外に区分けして下肢空間及び外向き収納空間を適切に配置することで扇形天板下の空間を効率的に利用することが可能となる。したがって、天板下の空間を有効利用して製品品質を向上させたデスクシステムを提供することが可能となる。
【図面の簡単な説明】
【００２３】
【図１】本発明の一実施形態のデスクシステム全体を示す斜視図。
【図２】同デスクシステムを構成するデスク及びデスク同士の連結部位を模式的に示す斜視図。
【図３】同デスクの扇形天板の連結部分を示す斜視図。
【図４】同デスクシステムの扇形天板下の構成を模式的に示す平面図。
【図５】図４におけるＡ１−Ａ１部位断面図。
【図６】図４におけるＡ２−Ａ２部位断面図。
【図７】図４におけるＡ３−Ａ３部位断面図。
【図８】図４におけるＡ４−Ａ４部位断面図。
【図９】同実施形態における扇形天板を構成する天板本体や配線蓋周辺を示す構成図。
【図１０】同実施形態における扇形天板を構成する天板本体や配線蓋周辺を示す構成図。
【図１１】同実施形態において扇形天板の卓上空間を仕切る左右仕切パネルの取り付け部を示す構成図。
【図１２】同デスクシステムを構成する湾曲パネルの製法に関する説明図。
【図１３】図４におけるＡ７−Ａ７部位断面図。
【図１４】本発明の他の実施形態に係る天板下の構成を示す構成図。
【発明を実施するための形態】
【００２４】
以下、本発明の一実施形態を、図面を参照して説明する。
【００２５】
図２に示すように、本発明の一実施形態のデスクシステムＤＳを構成するデスクＤは、扇形天板１と、この扇形天板１を支持する天板支持ユニット２とを主体とするもので、天板支持ユニット２は、互いに離間して放射状に配置された一対の天板支持パネル２０・２０（天板支持パネル２０・２０は扇形天板１の中心回りに放射状に配置されている）と、対をなす天板支持パネル２０・２０を連結する天板支持パネル連結材３とを含んで構成され、天板支持ユニット２上に扇形天板１を左右にオーバーハングした状態で載置することで左右の天板支持パネル２０・２０間に下肢空間Ｐを形成している。なお、図５〜図８に示すように、天板支持パネル２０の下端面２０ａの奥行き方向（放射方向）両端部に脚部２０ｓが設けられている。
【００２６】
デスクシステムＤＳは、図１、図２及び図４に示すように、複数のデスクＤを組み合わせてなるもので、各々のデスクＤの扇形天板１の側縁１ｅ同士を突き合わせた状態で扇形天板１を連ねて少なくとも一箇所が途切れた環状テーブルとし、デスクＤ同士をユニット連結材４により互いに連結して構成されている。環状テーブルを構成する扇形天板１のうち端部となる扇形天板１下には、内向き収納空間Ｓ２が形成されているとともに、この扇形天板１下の空間を側方から隠蔽可能な対をなすエンドパネル７３・７３が取り付けられて、環状テーブルの外部と内部との出入り口が構成されている。詳細は後述する。
【００２７】
デスクシステムＤＳは、ワーカーが外周側に向かって執務するように環状テーブルの内周縁１ｂを使用縁に設定している。図１では、環状テーブルの内周に円卓等のテーブルＴを配置して複数ワーカーで簡易会議を行えるようにしている。このデスクシステムＤＳでは、図４に示すように、連ねた扇形天板１下が放射方向に配置した天板支持パネル２０によって湾曲方向に沿って複数の区画（例えばＫ１〜Ｋ７）に仕切られ、湾曲方向に沿って一つおきの区画（Ｋ２，Ｋ４，Ｋ６）に下肢空間Ｐが構成されているとともに、他の区画の一部（Ｋ１，Ｋ３，Ｋ７）の外周側に開放された外向きの収納空間Ｓ１が形成され、他の残りの区画（Ｋ５）の内周側に開放された内向きの収納空間Ｓ２が形成されている。これら外向きの収納空間Ｓ１及び内向きの収納空間Ｓ２は、図２に示すように扇形天板１のオーバーハング領域Ａｒの下方に、隣接する天板支持ユニット２の天板支持パネル２０間に棚板５０を架け渡すことによって形成されている。すなわち、図２及び図４に示すように、一つの執務範囲は一枚の扇形天板１毎に設定され、隣り合う執務範囲の境界である天板１の側端１ｅの突合せ係合部（オーバーハング領域Ａｒ）の下の収納空間（Ｓ１，Ｓ２）を配置している。天板執務範囲の下方はイスに座った執務者の下半身が位置する下肢空間Ｐである、下肢空間Ｐと収納空間（Ｓ１，Ｓ２）は天板支持パネル２０で仕切られている。この天板支持パネル２０は、下肢空間Ｐを挟んで対をなして向かい合っているとともに、収納空間（Ｓ１，Ｓ２）を挟んで対をなして向かい合っている。なお、収納空間（Ｓ１，Ｓ２）に配置される棚板５０を取り外して、ワゴンを入れるという使用態様も可能である。
【００２８】
具体的に説明すると、図２、図４〜図７に示すように下肢空間Ｐを形成する左右の天板支持パネル２０・２０の間には、天板支持パネル連結材３の一つとして扇形天板１の外周縁１ｃに沿った形状の幕板とも呼ばれる奥行き仕切パネル３０が配置されて下肢空間Ｐを奥行き方向に仕切っている。天板支持パネル２０のうち奥行き仕切パネル３０を取り付ける部位には、図２に示すように、厚み方向に貫通する貫通孔２０ｈが設けられており、奥行き仕切パネル３０の側端面３０ｅを天板支持パネル２０の貫通孔２０ｈに突き当てた状態に配置して、収納空間Ｓ１（Ｓ２）側から貫通孔２０ｈに挿入したボルトやネジ等の止着具ｖｏにより奥行き仕切パネル３０を天板支持パネル２０に固定している。この奥行き仕切パネル３０は、図４〜図６に示すように、左右の天板支持パネル２０が奥行き仕切パネル３０よりも外方（外周側）に延出するように天板支持パネル２０の外周縁２０ｃから内周側に離間した位置に配置されており、図５及び図６に示すように、左右の天板支持パネル２０と奥行き仕切パネル３０とで部分的に囲まれる位置において左右の天板支持パネル２０・２０間に板材５１を架け渡すことにより外向きの物品載置空間Ｓ３を形成している。この物品載置空間Ｓ３は、上記外向き収納空間Ｓ１に対し第二の外向き収納空間とも言える。この物品載置空間Ｓ３を形成する板材５１は、天板支持パネル２０に設けた図示しない孔等の取付部に取り付けたフックに載置されて保持されている。この物品載置空間Ｓ３を形成する板材５１は、図５及び図６に例示するように、載置する物品や用途に応じて設置数やその高さ位置が適宜設定されている。勿論、物品載置空間Ｓ３を形成する板材５１をボルトやネジ等の止着具を介して天板支持パネル２０に固定して板材５１を天板支持パネル連結材３として用いてもよい。この場合、天板支持ユニット２の連結強度を向上させることが可能となる。なお、奥行き仕切パネル３０は、扇形天板１の外周縁１ｃに沿って湾曲した形状をなしているが、奥行き仕切パネルを湾曲しない面状のものにしてもよい。
【００２９】
また、対をなす天板支持パネル２０・２０の間には、図６に示すように、天板支持パネル連結材３の一つとして扇形天板１の外周縁に沿った形状のパネル下縁材である巾木３１が配置され、この巾木３１によって左右の天板支持パネル２０・２０の外周縁２０ｃ且つ下端部同士がネジ等の止着具を介して連結されている。この巾木３１は、上記の物品載置空間Ｓ３を形成する板材５１の下端面５１ａをその上面３１ｄで支持して、板材５１に載置される物品の荷重を支持している。この巾木３１は、床と板材５１の境目となる継ぎ目で、板材５１の最下部に取り付けられる細い横板であり、汚れたり壊れたりしやすい板材５１の下部を保護するものである。
【００３０】
本実施形態のデスクシステムＤＳには、図４に示すように、上記物品載置空間Ｓ３が複数箇所に形成されているが、一部の物品載置空間Ｓ３については、図４及び図５に示すように、奥行き仕切パネル３０の外方（外周側）に、扇形天板１の外周縁１ｃに沿った形状をなす外側パネル３２を着脱可能又は開閉可能に天板支持パネル２０に取り付けることで物品載置空間Ｓ３の外周側を閉止し、物品載置空間Ｓ３を奥行き方向のいずれの方向からも隠蔽している。この外側パネル３２は、図５に示すように例えば天板１下の配線空間Ｓ４と物品載置空間Ｓ３とを電気的に接続するコンセントタップＣＴや配線Ｌｉ等の目隠し材として利用可能である。この物品載置空間Ｓ３を形成する板材５１には、図５に示すように、配線Ｌｉを通すための上下方向の貫通口５１ｈが形成されている。
【００３１】
図５〜図８に示すように、天板支持ユニット２を構成する起立した天板支持パネル２０・２０同士間には、扇形天板１よりも低い位置に扇形天板１に対向する配線棚６０がその湾曲方向側端を天板支持パネル２０に突き当てた状態で配置され、扇形天板１と配線棚６０との間に配線空間Ｓ４が形成されている。また、扇形天板１の外周縁１ｃに沿って湾曲する板状の湾曲ビーム６１が扇形天板１の外周縁１ｃを包囲し且つ扇形天板１の高さ位置を含む高さ位置に扇形天板１との間に所定隙間を隔てた状態に配置されており、天板支持パネル２０の外周縁２０ｃが湾曲ビーム６１に突き当てられた状態で図示しないＬ字ブラケットやボルト等の止着具を介して湾曲ビーム６１が天板支持パネル２０に固定されている。そして、扇形天板１の外周縁１ｃ及び配線棚６０の外周縁６０ｃを湾曲ビーム６１に突き当てた位置関係にすることで、湾曲ビーム６１が配線空間Ｓ４を外周側から隠蔽する配線隠しの役割を果たすとともに、扇形天板１の厚みを隠す目隠し材としての役割を果たすようにしている。勿論、本実施形態では、扇形天板１の上面及び下面の高さ位置を含む高さ位置に湾曲ビームを配置しているが、配線空間Ｓ４を外周側から遮蔽するために、扇形天板１の下面の高さ位置を含む高さ位置に湾曲ビームが配置されていればよく、例えば扇形天板１の上面の高さ位置を含まず扇形天板１の下面の高さ位置を含む高さ位置に配置してもよい。すなわち、湾曲ビームが扇形天板１の下面よりも下がっていなければよい。
【００３２】
湾曲ビーム６１は、図５に示すように、上記の物品載置空間Ｓ３の外周側を閉止する外側パネル３２と同一曲率で形成されて、外側パネル３２と略面一な状態に配置されている。この配線空間Ｓ４は、図４〜図８に示すように、扇形天板１、配線棚６０、左右の天板支持パネル２０及び湾曲ビーム６１で包囲された空間であって天板支持パネル２０によって左右に分断された状態にある。配線棚６０は、図５及び図６に示すように、奥行き仕切パネル３０よりも外方（外周側）にオーバーハングしており、左右の天板支持パネル２０・２０、板材５１及び奥行き仕切パネル３０で囲まれる物品載置空間Ｓ３を上方から遮蔽している。勿論、本実施形態で述べた配線棚６０を設けない構成では、扇形天板１を奥行き仕切パネル３０よりも外方（外周側）にオーバーハングさせて扇形天板１によって物品載置空間Ｓ３を上方から遮蔽するように構成してもよい。また、本実施形態では、扇形天板１は、左右一対の天板支持パネル２０に対して、その左右外方及び内周側（使用縁側）の合わせて三方向に大きくオーバーハングしているが、外周側（反使用縁側）にもオーバーハングさせて例えば外側オーバーハング領域の下に書架等を設ける構成も考えられる。この場合でも、扇形天板１のオーバーハング量は、左右外方及び内周側（使用縁側）の三方向の方が外周側（反使用縁側）よりも大きくなる。
【００３３】
扇形天板１は、図５〜図８に示すように、起立した天板支持パネル２０の上面（２０ｄ１，２０ｄ２）のうち使用縁側（内周側）の一部の載置面２０ｄ１にオーバーハング状態で載置される天板本体１０と、天板本体１０の反使用縁側（外周側）に略面一に連続して配置される配線蓋１１とを含んで構成され、配線蓋１１の反使用縁側（外周側）の端部１１ｃが配線隠しである湾曲ビーム６１に閉じられている構造をなしている。図９（ａ）及び図９（ｂ）に示すように、天板本体１０の一部である外周縁１０ｃを開口縁Ｋｅとして湾曲ビーム６１との間に開口Ｋｏを形成し、天板本体１０下に形成される配線空間Ｓ４を天板本体１０上方に開口Ｋｏを介して開放可能に構成している。
【００３４】
配線蓋１１は、図９に示すように、天板本体１０の外周縁１０ｃ（開口縁Ｋｅ）と同じ曲率で円弧状に湾曲した湾曲縁部として内周側縁部（内周縁１１ｂ）及び外周側縁部（外周縁１１ｃ）を有する扇形をなしており、開口Ｋｏを閉止する位置ｐｏ１に着脱可能に配置されている。具体的には、図９に示すように、反使用縁側（外周側）の端部（外周縁１１ｃ）を自由端として使用縁側（内周縁１１ｂ側）に設定された支点Ｃ１回りに上下方向に回転により開閉可能にヒンジ等の回転支持部１１ｇを介して天板本体１０の外周縁１０ｃに取り付けられている。すなわち、配線蓋１１の内周側に設定した被支持部（内周縁１１ｂ）と天板本体１０に設定した支持部（外周縁１０ｃ）とが回転支持部１１ｇを介して接続されて、配線蓋１１の被支持部（内周縁１１ｂ）が天板本体１０の支持部（外周縁１０ｃ）に支持されることで、配線蓋１１により閉止される配線用の開口Ｋｏを開閉可能にしている。回転支持部１１ｇは、配線蓋１１の内周円弧１１ｂの途中二箇所に設けられている。一般的な直線状の配線蓋を回転可能に構成した場合には、配線蓋の側端又はその近傍に設定された支点回りに回転することになるものの、本実施形態では、配線蓋１１が円弧状に湾曲していることによって配線蓋１１のうち回転支持部１１ｇ同士の間の部位の回転支点Ｃ１が配線蓋１１の内周端から更に内周側に変位した位置となり、直線状の配線蓋に比して回転半径が広がる。この場合、同じ回転角度であっても直線状や矩形状の配線蓋に比べて配線空間Ｓ４への開口が広くなる。このように配線蓋１１を円弧状に形成し、内周側に設定した二箇所の回転支持部１１ｇを結ぶ回転軸Ｃ１回りに外周側を自由端として回転させることで、閉止位置ｐｏ１において配線蓋１１が天板本体１０下の配線空間Ｓ４を上方から遮蔽し、開成位置ｐｏ２において直線状の配線蓋に比して配線蓋１１が閉止位置ｐｏ１から大きく退避させることが可能となる。この結果、配線空間への配線の出し入れが容易となる。また、配線蓋１１の湾曲縁部（内周円弧１１ｂ）の途中二箇所を天板本体１０に支持させた状態で回転させながら片開きしているので、配線蓋１１の部位によって上にあがる部位と下に下がる部位が生じ、配線蓋１１の両側端部を二点支持する場合に比べて重心移動が少ないので動作が軽くなり、開けやすくしている。また、配線蓋１１の湾曲縁部の途中二箇所を支持しているので、配線蓋の両側端部を二点支持する場合に比べて配線蓋に必要な剛性を下げて配線蓋を軽量化することができるとともに、単純な軸受構造で支持することを可能としている。
【００３５】
配線蓋１１は、図５、図９（ｂ）及び図１０（ｂ）に示すように、面板部１１ｘの湾曲縁部たる内周縁１１ｂから下方（天板支持パネル２０側）に延びる垂下部１１ｙが形成されて断面略Ｌ字状をなしており、樹脂の一体成型により作製される。配線蓋１１は、面板部１１ｘの厚み方向寸法Ｗ１を天板本体１０の厚み方向寸法Ｗ２よりも小さく設定することにより、面板部１１ｘの下面１１ａと天板支持パネル２０の上面２０ｄ２（載置面２０ｄ１以外の上面）との間に閉止位置ｐｏ１において天板支持パネル２０で仕切られる左右の配線空間Ｓ４同士を連絡する横配線用隙間ＳＸが形成される状態で配線蓋１１が取り付けられている。図１３に示すように、各々のデスクＤの天板本体１０の下方且つ対をなす天板支持パネル２０の間には第一の配線空間Ｓ４ａ（Ｓ４）が形成され、突き合わせ状態で連ねた天板本体１０のオーバーハング領域Ａｒの下方に第二の配線空間Ｓ４ｂ（Ｓ４）が形成されており、これら第一の配線空間Ｓ４ａ及び第二の配線空間Ｓ４ｂは、天板支持パネル２０で分断される構造であるものの、閉止位置ｐｏ１において横配線用隙間ＳＸが形成されることによって、図１０（ｂ）に示すように配線蓋１１を開けた状態で天板支持パネル２０の上面（２０ｄ１，２０ｄ２）のうち天板本体１０が載置される載置面２０ｄ１以外の上面２０ｄ２を乗り越えるように配線Ｌｉを引き回し、その後に配線蓋１１を閉めても配線蓋１１と配線Ｌｉとが干渉せず、横配線用隙間ＳＸを介して一方の天板本体１０下の配線空間Ｓ４から他方の天板本体１０下の配線空間Ｓ４に配線を引き回し可能にしている。この場合、天板支持パネル２０に横配線用の貫通孔や切り欠き等を設ける必要がない。そして、図１３に示すように、連ねた天板本体１０下の第一及び第二の配線空間Ｓ４ａ・Ｓ４ｂを一連の配線空間として複数の天板本体１０に亘って配線Ｌｉを引き回す利用形態を実現している。よって、例えば或るデスクＤの近くに電力線や通信線等のコンセントがない場合でも他のデスクＤから配線Ｌｉを引き回して利用することを可能にしている。
【００３６】
配線蓋１１には、図９（ｂ）に示すように、垂下部１１ｙに静止面１１ｙｂが設定されており、配線蓋１１が閉止位置ｐｏ１にあるときに静止面１１ｙｂを天板本体１０の外周端面１０ｃに突き当てる（接触する）ことで、配線蓋１１の下方に向かう回転動作を規制し、閉止位置ｐｏ１から開成位置ｐｏ２への開き動作のみを許容し、配線蓋１１の閉止位置ｐｏ１を規定する閉止位置規定部１１ｚを構成している。この閉止位置規定部１１ｚによって配線蓋１１に荷重が作用しても配線蓋１１が下方に回転せず、配線蓋１１の上面１１ｄと天板本体１０の上面１０ｄとにズレが生じることを抑制又は防止している。
【００３７】
また、閉止位置ｐｏ１において配線蓋１１の垂下部１１ｙの下面１１ｙａを天板支持パネル２０の上面２０ｄ２で支持するように、配線蓋１１と天板支持パネル２０との位置関係を規定し、配線蓋１１に作用する荷重を天板支持パネル２０の上面２０ｄ２で支持するように構成してある。この結果、天板本体１０と同様に配線蓋１１に対して物品を載置しても適切に荷重が支持され卓上領域を広げて有効利用することが可能となる。
【００３８】
配線蓋１１の反使用縁側（外周側）の端部１１ｃには、図９（ａ）及び図１０（ａ）に示すように、軟質樹脂１２が取り付けられており、配線蓋１１が閉止位置ｐｏ１にある場合に、配線蓋１１と配線隠したる湾曲ビーム６１との間に配置された軟質樹脂１２によって配線蓋１１と湾曲ビーム６１との間の配線空間Ｓ４の開口を閉止するとともに、一部を弾性変形させることにより閉止状態で扇形天板１の上方から配線空間Ｓ４への配線の引き回しを可能としている。配線蓋１１の反使用縁側（外周側）の端部１１ｃには、反使用縁側（外周側）に向けて開口し外周側に向かって幅狭となる取付溝部１１ｍが配線蓋１１の外周縁１１ｃ全域に亘って形成されており、軟質樹脂１２を配線蓋１１の側方から湾曲方向にスライドさせながら取付溝部１１ｍに挿入することで、接着剤や取り付け具を要することなく軟質樹脂１２を配線蓋１１に取り付けている。なお、本実施形態では、配線蓋１１は、上下方向に回転により開閉可能に構成されているが、その他の態様として着脱可能にすることや、配線蓋を湾曲方向に沿ったスライドにより開閉可能にすることが挙げられる。スライド開閉する場合には、湾曲方向に沿った左右の配線蓋の曲率を同じにすることで、配線蓋を左右（湾曲方向）に重ねるようにスライドさせることが可能となる。この場合、配線蓋をスライド動作させるためのガイドレールを蓋の上面又は下面に設けると、蓋の端部を押すだけで円滑なスライド動作を実現することが可能となる。
【００３９】
図２の扇形天板１（天板本体１０）の内周縁１ｂ（１０ｂ）には、図５〜図８に示すように、外周側から内周側に向けて幅狭に形成され且つ扇形天板１の内周縁１ｂに沿う形状に形成された弾性変形可能な扇形エッジ部材１３が、環状の中心方向に突出するように扇形天板１の内周縁１ｂに取り付けてあり、図１及び図２に示すように、扇形天板１を連ねた場合に扇形エッジ部材１３同士が円環に沿って突き合わせた状態となる。このように、扇形エッジ部材１３が扇形であると、内周側に張り出した部位に荷重が作用しても直線エッジ部材に比して載置荷重を受けた際に扇の内周縁径が変化する方向すなわち上下方向へ撓みにくくなり、例えばアームレスト等の用途に適した荷重に対する強度を確保している。
【００４０】
扇形天板１は、図３に示すように、側縁１ｅ同士を突き合わせた状態で連結されるが、各々の側縁部１ｅの下面に対をなす連結凹部１ｇを設け、一方の扇形天板１の連結凹部１ｇから他方の扇形天板１の連結凹部１ｇまで貫通する連結孔１ｈが形成されており、ユニット連結材４の一つである図示しないボルト等の止着具をこの連結孔１ｈに通して両扇形天板１同士を固定している。
【００４１】
湾曲ビーム６１の上部には、図５〜図８に示すように、上方に開口する上溝部６１ｍが形成されており、図２に示すように、可燒性のあるデスクトップパネル７０をこの上溝部６１ｍに嵌め込んで係り合せることで、デスクトップパネル７０を弾性により湾曲させた状態で扇形天板１の外周縁１ｃに沿って起立させて配置している。各デスクＤ毎に一枚のデスクトップパネル７０を起立させて、各々の側縁７０ｅ同士を突き合わせた状態で配置することで図１に示すように扇形天板１の外周縁１ｃに沿って周回するデスクトップパネル７０を分割構造で構成している。このデスクトップパネル７０には、一部又は全部に半透明な素材を用いて、又は、すりガラスのように半透明になる表面処理が施されて、扇形天板１上の書類に対する機密性が守られるとともに、デスクトップパネル７０同士の継ぎ目を目立たなくなるようにしてある。
【００４２】
デスクトップパネル７０の上縁には、図１及び図２に示すように、湾曲ビーム６１と同一曲率の湾曲カバー部材７１を設け、この湾曲カバー部材７１に湾曲方向に沿って形成された下方に開口する下溝部７１ｍにデスクトップパネル７０の上端を嵌め込んで係り合わせることで、平板状のデスクトップパネル７０を湾曲カバー部材７１及び湾曲ビーム６１と同じ曲率で簡単に湾曲させることができ、この湾曲状態を湾曲ビーム６１及び湾曲カバー部材７１が保持している。上記の湾曲ビーム６１及び湾曲カバー部材７１はアルミ押出しで精度良く作れる。この湾曲カバー部材７１には、湾曲方向沿って複数のＬＥＤを配列したライン照明を設けており、ライン照明７１Ｓに電力を供給するための電力線が湾曲方向に沿って湾曲カバー部材７１に内蔵してある。湾曲カバー部材７１の側縁部７１ｅには、隣接する湾曲カバー部材７１の電力線又はライン照明７１Ｓ同士を接続するオス型又はメス型のコネクタが配置されており、これらコネクタ同士を嵌め合いにより係り合わせることで湾曲カバー部材７１同士の連結強度を向上させている。
【００４３】
図２に示すように、扇形天板１のオーバーハング領域Ａｒの下方に棚板５０を用いて収納空間Ｓ１（Ｓ２）を形成する天板支持パネル２０・２０の間には、図４、図７及び図８に示すように、ユニット連結材４の一つとして扇形天板１の湾曲方向に沿った形状の収納空間仕切パネルとも呼ばれる目隠しパネル８０が配置されて、収納空間Ｓ１（Ｓ２）を奥行き方向に仕切っている。この目隠しパネル８０は、扇形天板１の奥行き方向の一端側（内周側）又は他端側（外周側）のいずれにも左右の天板支持ユニット２同士を連結する状態で取り付け可能にされている。この目隠しパネル８０は、扇形天板１のオーバーハング領域Ａｒ下の空間を内周側又は外周側のいずれかを閉止する位置で図示しないＬ字ブラケットやボルト等の止着具を介して天板支持パネル２０に固定される。図４及び図８に示すように、扇形天板１のオーバーハング領域Ａｒ下の空間の奥行き方向の内方（内周側）を閉止する位置ｉｎに目隠しパネルを取り付けた場合には、収納空間が外周側に開放される外向き収納空間Ｓ１となる一方で、図４及び図７に示すように、奥行き方向の外方（外周側）を閉止する位置ｏｕｔに目隠しパネルを取り付けた場合には、収納空間が内周側に開放される内向き収納空間Ｓ２となる。このように目隠しパネル８０を内周側又は外周側のいずれに取り付けるかによって収納空間を選択的に外向き収納空間Ｓ１または内向き収納空間Ｓ２となし得るようにしている。図２、図７及び図８に示すように、天板支持パネル２０間に架け渡される棚板５０は、天板支持パネル２０に設けた図示しない孔等の取付部に取り付けたフックに載置されて保持される。この収納空間を形成する棚板５０は、収納する物品や用途に応じて設置数やその高さ位置が適宜設定されている。勿論、棚板５０をボルト等の止着具を介して天板支持パネル２０に固定して棚板５０をユニット連結材４として用いてもよい。この場合、デスクＤ同士（天板支持ユニット２同士）の連結強度を向上させることが可能となる。図７に示すように、内向き収納空間Ｓ２の外周側に配置される目隠しパネル８０（ｏｕｔ）は、上記の湾曲ビーム６１と同一曲率で形成されて、湾曲ビーム６１と略面一な状態に配置されている。なお、外周側に配置される目隠しパネル８０（ｏｕｔ）は、湾曲ビーム６１と同一曲率で形成されているが、内周側に配置される目隠しパネル８０（ｉｎ）は、湾曲しない面状のものにしてもよい。
【００４４】
また、図７及び図８に示すように、天板支持パネル２０・２０同士の間には、ユニット連結材４の一つとして扇形天板１の湾曲方向に沿った形状のパネル下縁材である巾木４１が配置され、この巾木４１によって天板支持パネル２０の外周端２０ｃ（又は内周端２０ｂ）且つ下端部同士がネジ等の止着具を介して連結されている。この巾木４１は、上面を支持面４１ｄに設定してあり、上記の収納空間を形成する棚板５０の下端面５０ａを支持面４１ｄで支持して、棚板５０に加わる荷重を支持している。この巾木４１は、床と棚板５０の境目となる継ぎ目で、棚板５０の最下部に取り付けられる細い横板であり、汚れたり壊れたりしやすい棚板５０の下部を保護するものである。
【００４５】
扇形天板１を連接することで構成される環状テーブルは、図１及び図４に示すように、少なくとも一箇所が途切れたものであり、環状テーブルを構成する扇形天板１のうち端部に位置する扇形天板１同士の間は連結されていない。これら扇形天板１の側端１ｅは、天板支持パネル２０とほぼ同様の構成をなす端部支持パネル７２で支持されており、互いに対向する端部支持パネル７２及び天板支持パネル２０との間に上記と同様に内向き収納空間Ｓ２がハーフサイズで形成されている。この内向き収納空間Ｓ２を形成する構成は上記と同様であるので説明を省略する。
【００４６】
また、端部に位置する扇形天板１下の空間を側方から隠蔽可能なエンドパネル７３・７３が対をなして取り付けてある。これら対をなすエンドパネル７３・７３は、図１及び図４に示すように、鉛直方向の軸回りに回転可能にデスクＤ（端部支持パネル７２等）に取り付けられて、第一の回転位置ｐｏ３において各々のデスクＤの扇形天板１下の空間を側方から隠蔽し、各々のエンドパネル７３の先端７３ｅ同士を突き合わせた状態となる第二の回転位置ｐｏ４において環状テーブルの外部と内部とを遮蔽する開閉扉としての役割を果たしている。勿論、エンドパネル７３・７３を開閉可能に構成せず、図３に示す扇形天板１同士を連結するための上記連結孔１ｈを用いてボルト等の止着具でエンドパネル７３と扇形天板１とを連結するように構成してもよい。
【００４７】
デスクＤ同士の連結部分には、図１１に示すように、扇形天板１の卓上空間を湾曲方向に仕切る左右仕切パネル７４が取り付け可能に構成されている。左右仕切パネル７４は、扇形天板１に取り付けられる仕切パネル受け部７５と、湾曲カバー部材７１に取り付けられる仕切パネル押さえ部７６とにより固定される。仕切パネル受け部７５は、下方に向けて延びる鍔部７５ａを突き合わせた扇形天板１の側端１ｅ同士で挟み込むことで扇形天板１に取り付けられ、左右仕切パネル７４の下端部を厚み方向両側から挟み込む挟持側壁７５ｂ・７５ｂ及び左右仕切パネルの内周端に係り合う挟持内壁７５ｃによって左右仕切パネル７４を保持する構造をなしている。仕切パネル押さえ部７６は、下方に開口する断面コの字をなす押さえ部７６ａで左右仕切パネルの上端を保持しつつ、湾曲カバー部材にネジ等の止着具ｖｏで固定される。
【００４８】
上記の奥行き仕切パネル３０や外側パネル３２、巾木３１、巾木４１、湾曲ビーム６１等の湾曲した湾曲パネルＰＬを製造するにあたり、図１２（ａ）に示すように、板金加工等によって矩形状のベース面ＰＬ１の側端の起立壁ＰＬ２に切り欠きＰＬａを設けることで湾曲を可能としたパネルＰＬに対し、ベース面ＰＬ１に型Ｄｉを当てながらベース面ＰＬ１を湾曲させて湾曲パネルＰＬを作製するのが通例であるが、図１２（ｃ）に示すように、起立壁ＰＬ２における一端から他端に亘って切り欠きＰＬａを設けると、外部から切り欠きＰＬａが視認可能となり美観を損なってしまう。そこで、図１２（ｂ）に示すように、起立壁ＰＬ２においてベース面ＰＬ１側の端部に１mm程の余白ＰＬｂを残して切り欠きＰＬａを形成することで、外部から切り欠きＰＬａが視認されて美観を損なうことを退避している。
【００４９】
以上のように、本実施形態のデスクシステムＤＳは、扇形天板１を連ねて少なくとも一箇所が途切れた環状テーブルを構成し、この環状テーブルの内周側に天板１下の下肢空間Ｐを含む着座空間を形成するとともに、環状テーブルの外周側に開放され外側から利用可能な外向き収納空間Ｓ１を形成している。
【００５０】
このように、扇形天板１下の空間を環状の内外に区分けして下肢空間Ｐ及び外向き収納空間Ｓ１を適切に配置することで扇形天板１下の空間を効率的に利用することが可能となる。すなわち、内周側の下肢空間Ｐを利用して天板１に着座する態様と、外周側から外向き収納空間Ｓ１を利用する態様とを実現することができる。例えば、放射方向を向いて着座することで隣接位置に着座したワーカー同士の目線をそらすことができ、外側に回り込んだワーカーが外向き収納空間Ｓ１にアクセスことで内側のワーカーとの間で偶発的な対話の場が生まれる。例えば、円環の中心に円卓等のテーブルＴを置けば、ミーティングも簡単に実現でき、グループ単位のワークスタイルに適したものとなる。
【００５１】
特に、本実施形態では、扇形天板１の内周縁１ｂに沿う形状の弾性変形可能な扇形エッジ部材１３が、環状の中心方向に突出するように扇形天板１の内周縁１ｂに取り付けてあるので、弾性変形可能な扇形エッジ部材によって体が触れても痛みなどの不快感を与えないようにすることが可能となる。すなわち、扇形エッジ部材１３同士を円環に沿って突き合わせることができ、しかも、扇形であるので、張り出した部位に荷重が作用しても直線状エッジ部材に比して載置荷重を受けた際に扇の内周縁径が変化する方向すなわち上下方向へは撓みにくくなり、例えばアームレスト等の用途に適した荷重に対する強度を確保することが可能となる。
【００５２】
本実施形態では、扇形天板１の外周縁１ｃに沿って可撓性のあるデスクトップパネル７０を弾性により湾曲させた状態で配置しているので、扇形天板１の円弧内外の空間をデスクトップパネル７０により仕切って利用することが可能となる。すなわち、デスクトップパネル７０の下縁を、湾曲ビーム６１の上縁に設けた上方開口する上溝部６１ｍに嵌合させるとともに、デスクトップパネル７０の上縁を、湾曲カバー部材７１の下縁に設けた下方開口する下溝部７１ｍに嵌合させることで、平板状のデスクトップパネル７０をこれらに沿って簡単に湾曲させることが可能となり、デスクトップパネル７０を弾性により曲げることで精度の高い湾曲面をコストアップを伴うことなく簡単に形成することが可能となる。例えば、デスクトップパネル７０を半透明にすると、天板１上の書類に対する機密性を守ることが可能となる。
【００５３】
また、本実施形態では、デスクトップパネル７０が、扇形天板１の外周縁１ｃに沿って複数に分割されており、各々の側縁７０ｅ同士を突き合わせた状態で配置されているので、分割構造により一つ一つのデスクトップパネル７０が作り易く且つセットし易くなり、製造コストを低減させることが可能となる。
【００５４】
さらに、本実施形態では、扇形天板１の外周縁１ｃを包囲する位置に板状の湾曲ビーム６１を配置し、この湾曲ビーム６１にデスクトップパネル７０を係り合わせているので、湾曲ビーム６１をデスクトップパネル７０の取付場所として確保し、湾曲ビーム６１にデスクトップパネル７０を係り合わせるだけで取付可能であるので取り付けやすくなる。しかも、例えば湾曲ビーム６１によって外方からの外観を向上させることも可能となる。すなわち、湾曲ビーム６１は扇形天板１の厚みや、扇形天板１の肉厚方向を貫通する配線Ｌｉ、扇形天板１下に配置するコンセントタップＣＴ等の目隠し材として利用して外方からの外観を向上させることが可能となる。
【００５５】
さらにまた、本実施形態では、湾曲ビーム６１と同一曲率の湾曲カバー部材７１を設け、この湾曲カバー部材７１にデスクトップパネル７０の上縁を湾曲させた状態で係り合わせるとともに、この湾曲カバー部材７１に湾曲方向に沿ったライン照明７１Ｓを設けているので、デスクトップパネル７０を保形するとともに、扇形天板１に沿ってＬＥＤ等のライン照明を配置することが可能となる。すなわち、湾曲ビーム６１と湾曲カバー部材７１とを同じ曲率で形成し、弾性デスクトップパネル７０の上下縁に湾曲ビーム６１及び湾曲カバー部材７１を配置してこれらを係合させることで、デスクトップパネル７０を湾曲ビーム６１及び湾曲カバー部材７１と同じ曲率で湾曲させ、その状態を保つ機能を有している。
【００５６】
さらにまた、本実施形態では、扇形天板１を支持する天板支持ユニット２が放射方向に延びる一対の天板支持パネル２０・２０を備え、これらの天板支持パネル２０・２０の外周側に扇形天板１の外周縁に沿った形状の巾木３１を取り付け、この巾木３１が湾曲ビーム６１ともども天板支持ユニット２に連結されているので、天板支持ユニット２の剛性を確保することが可能となる。すなわち、湾曲ビーム６１と巾木３１とを天板支持パネル２０を介して曲率中心が合致するように位置決めすることが可能となる。
【００５７】
さらにまた、本実施形態では、少なくとも一箇所が途切れた環状テーブルを構成する扇形天板１のうち端部に位置する扇形天板１同士の間を連結せずにこれら扇形天板１下の空間を側方から隠蔽可能なエンドパネル７３を取り付けているので、少ない部材で見栄えを損なうことなく扇形天板１の円弧状配置の内外への出入り口を作ることが可能となる。
【００５８】
さらにまた、本実施形態では、下肢空間Ｐは、外周側を扇形天板１の外周縁１ｃに沿った形状の奥行き仕切パネル３０により閉止されて内周側に開放されることで形成され、外向き収納空間Ｓ１は、内周側を収納空間仕切パネルたる目隠しパネル８０により閉止されて扇形天板１の外周側に開放されることで形成されるので、簡易な構成で下肢空間Ｐ及び外向き収納空間Ｓ１を形成することが可能となる。すなわち、下肢空間Ｐを閉止する奥行き仕切パネル３０の面と外向き収納空間Ｓ１を開放する収納空間仕切パネルたる目隠しパネル８０とが共に扇形天板１の外周縁１ｃに沿う形状であるため、統一感を得ることが可能となる。
【００５９】
さらにまた、本実施形態では、放射方向に配した天板支持パネル２０によって扇形天板１下が湾曲方向に沿って複数の区画（Ｋ１〜Ｋ７）に仕切られ、湾曲方向に沿って１つおきの区画（Ｋ２，Ｋ４，Ｋ６）に下肢空間Ｐを構成し、他の区画の一部（Ｋ１，Ｋ３，Ｋ７）に外向き収納空間Ｓ１を構成しているので、下肢空間Ｐと外向き収納空間Ｓ１とを適切に配置することが可能となる。すなわち、下肢空間Ｐと外向き収納空間Ｓ１との間でスペースの取り合いを回避でき、充分な広さを確保することが可能となる。勿論、他の区画の全部（Ｋ１，Ｋ３，Ｋ５，Ｋ７）に外向き収納空間Ｓ１を構成してもよい。
【００６０】
加えて、本実施形態では、上記他の区画（Ｋ１，Ｋ３，Ｋ５，Ｋ７）のうち外向き収納空間Ｓ１が形成されていない区画の全部又は一部（Ｋ５）に、扇形天板１の湾曲方向に沿った形状の収納空間仕切パネルたる目隠しパネル８０により外周側を閉止して内向き収納空間Ｓ２を構成しているので、簡易な構成で内向き収納空間Ｓ２を形成することが可能となる。
【００６１】
その他、本実施形態では、下肢空間Ｐの外周側を閉止する奥行き仕切パネル３０を扇形天板１の外周縁１ｃよりも内周側に変位させて、奥行き仕切パネル３０の外周側且つ扇形天板１の下に、内周側を奥行き仕切パネル３０により閉止されて外周側に開放される第二の外向き収納空間である物品載置空間Ｓ３を形成しているので、簡易な構成で下肢空間Ｐの外周側に外向き収納空間である物品載置空間Ｓ３を形成することが可能となる。
【００６２】
なお、各部の具体的な構成は上述した実施形態のみに限定されるものではなく、本発明の趣旨を逸脱しない範囲で種々変形が可能である。
【００６３】
例えば、本実施形態では、外向き収納空間Ｓ１は外周側に開放された状態であるが、図８において想像線で示すように、外向き収納空間Ｓ１の外周側を閉止可能な位置に扇形天板１の外周縁１ｃに沿った形状の湾曲外側パネル３３を着脱可能又は開閉可能に設け、湾曲外側パネル３３を閉止状態で湾曲ビーム６１と略面一になるように構成してもよい。このように構成すると、外観を損なうことなく、外向き収納空間Ｓ１の外周側を閉止する湾曲外側パネル３３を設けることが可能となる。すなわち、外向き収納空間Ｓ１に収納される被収納物を外周側から遮蔽して見栄え（外観）を向上させるとともに、外向き収納空間Ｓ１への防塵効果を期待でき、併せて、湾曲外側パネルと湾曲ビームとの略面一な位置関係により全体として統一感を得ることが可能となる。
【００６４】
また、本実施形態では、配線蓋１１は、天板１の上方と天板１下方にある配線空間Ｓ４との間を遮蔽する位置で上下方向への回転により開閉するものであるが、配線棚６０すなわち配線空間Ｓ４を形成せずに天板１下に物品載置空間Ｓ３を配置すると、配線蓋が天板の上方と天板下方にある物品載置空間との間を遮蔽する位置に上下方向への回動により開閉可能な蓋となる。この場合、物品載置空間にある物品を上方から遮蔽して上方からの見栄え（外観）を向上させることが可能となる。
【００６５】
さらに、本実施形態では、配線蓋１１は、外周縁１１ｃを自由端として内周縁１１ｂ側に設定された支点Ｃ１回りに回転により開閉可能に構成されているが、逆に内周縁１１ｂを自由端として外周縁１１ｃに設定された支点回りに回転により開閉可能に構成してもよい。また、本実施形態では、軟質樹脂１２を配線蓋１１に取り付けているが、軟質樹脂１２を湾曲ビーム６１に取り付けてもよい。さらに、本実施形態では、配線蓋１１と湾曲ビーム６１との間に軟質樹脂１２を配置しているが、配線蓋１１と天板本体１０との間に軟質樹脂１２を配置してもよい。この場合、軟質樹脂は配線蓋１１又は天板本体１０のいずれに取り付けてもよい。
【００６６】
さらにまた、本実施形態では、天板支持パネル２０に外側パネル３２及び奥行き仕切パネル３０を取り付けて、外側パネル３２及び奥行き仕切パネル３０の間に物品載置空間Ｓ３を形成しているが、図１３（ａ）及び図１３（ｂ）に示すように、奥行き仕切パネル３０の代わりに、上部の中央部１３０ｅを切り欠いた状態にした奥行き仕切パネル１３０をその両側端面３０ｅを天板支持パネル２０に固定することで、使用縁側（内周側）から下肢空間Ｐを介して物品載置空間Ｓ３に対して鞄等の物品を出し入れ可能に構成してもよい。また、図１３（ｃ）に示すように、物品載置空間Ｓ３を形成する板材５１に対して奥行き仕切パネル２３０をスライド丁番を介して開閉可能に取り付けることで使用縁側（内周側）から下肢空間Ｐを介して物品載置空間Ｓ３に対し鞄等の物品を出し入れ可能に構成してもよい。この構成によれば、天板下の空間を使用に適した状態で有効に利用することが可能となる。
【００６７】
その他、各部の具体的な構成は、上述した実施形態のみに限定されるものではなく、本発明の趣旨を逸脱しない範囲で種々変形が可能である。
【符号の説明】
【００６８】
１…扇形天板
１ｂ…扇形天板の内周縁
１ｃ…扇形天板の外周縁
１３…扇形エッジ部材
２…天板支持ユニット
２０…天板支持パネル
３０…奥行き仕切パネル
３１…巾木
３３…湾曲外側パネル
６１…湾曲ビーム
７０…デスクトップパネル
７０ｅ…デスクトップパネルの側縁
７１…湾曲カバー部材
７１Ｓ…ライン照明
７３…エンドパネル
８０…目隠しパネル（収納空間仕切パネル）
ＤＳ…デスクシステム
Ｐ…下肢空間
Ｓ１…外向き収納空間
Ｓ２…内向き収納空間
Ｓ３…物品載置空間（第二の外向き収納空間）
Ｋ１〜Ｋ７…区画
Ｋ２，Ｋ４，Ｋ６…下肢空間が構成される区画
Ｋ１，Ｋ３，Ｋ７…外向き収納空間が構成される区画
Ｋ５…内向き収納空間が構成される区画
【図１】
2012090988.tif 000003
【図２】
2012090988.tif 000004
【図３】
2012090988.tif 000005
【図４】
2012090988.tif 000006
【図５】
2012090988.tif 000007
【図６】
2012090988.tif 000008
【図７】
2012090988.tif 000009
【図８】
2012090988.tif 000010
【図９】
2012090988.tif 000011
【図１０】
2012090988.tif 000012
【図１１】
2012090988.tif 000013
【図１２】
2012090988.tif 000014
【図１３】
2012090988.tif 000015
【図１４】
2012090988.tif 000016
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
扇形天板を連ねて少なくとも一箇所が途切れた環状テーブルを構成するとともに、前記扇形天板の外周縁に沿って湾曲させたデスクトップパネルを配置したことを特徴とするデスクシステム。
【請求項２】
前記デスクトップパネルが可撓性を有するとともに平板状に形成されており、弾性により湾曲させた状態で前記扇形天板の外周縁に配置されていることを特徴とする請求項１に記載のデスクシステム。
【請求項３】
前記デスクトップパネルが、扇形天板の外周縁に沿って天板幅方向に複数に分割されており、各々の側縁同士を対向させた状態で配置されている請求項１または２に記載のデスクシステム。
【請求項４】
前記扇形天板の外周縁に沿って湾曲する板状の湾曲ビームを前記扇形天板の外周縁を包囲する位置に配置するとともに、当該湾曲ビームに対して前記デスクトップパネルを同一曲率で係合させたことを特徴とする請求項１〜３の何れかに記載のデスクシステム。
【請求項５】
前記湾曲ビームの上部に上方に開口するコ字状部を形成しており、当該コ字状部に前記デスクトップパネルの下縁を嵌め込むことによって、前記湾曲ビームに対する前記デスクトップパネルの係合を行うことを特徴とする請求項４に記載のデスクシステム。
【請求項６】
前記湾曲ビームと同一曲率の湾曲カバー部材を設け、当該湾曲カバー部材に前記デスクトップパネルの上縁を湾曲させた状態で係合させていることを特徴とする請求項４または５に記載のデスクシステム。
【請求項７】
前記湾曲カバー部材に湾曲方向に沿ったライン照明を設けていることを特徴とする請求項６に記載のデスクシステム。
【手続補正２】
【補正対象書類名】明細書
【補正対象項目名】全文
【補正方法】変更
【補正の内容】
【発明の詳細な説明】
【技術分野】
【０００１】
本発明は、天板下の空間の利用を適正化したデスクシステムに関する。
【背景技術】
【０００２】
従来のデスクシステムは、特許文献１に例示されるように、矩形天板を直線状に連ねて大型矩形状テーブルを構成し、複数のワーカーが天板下の下肢空間を含む着座空間に着座して執務を行うものが一般的である。かかるデスクシステムでは、天板下に収納具たるワゴン等を配置して、天板下の空間のうちの一部を収納空間とし、使用縁側から収納空間を利用可能にしている。
【先行技術文献】
【特許文献】
【０００３】
【特許文献１】特開２００８−２９５８５３号公報
【発明の概要】
【発明が解決しようとする課題】
【０００４】
ところで、個人単位のワーク及び会議等のグループ単位のワークを円滑に切り換え可能とするために、扇形天板を連ねて一箇所が途切れた環状テーブルを構成し、この環状テーブルの内周縁を複数のワーカーが外周側を向いて執務可能な使用縁に設定してデスクシステムを構成することが一つの有効な手段として考えられる。
【０００５】
本発明は、上記の課題に着目してなされたものであって、内周縁を使用縁とする環状テーブルを備え、効率的に利用可能なデスクスシステムを提供することを目的とする。
【課題を解決するための手段】
【０００６】
本発明は、かかる目的を達成するために、次のような手段を講じたものである。
【０００７】
すなわち、本発明のデスクシステムは、扇形天板を連ねて少なくとも一箇所が途切れた環状テーブルを構成するとともに、前記扇形天板の外周縁に沿って湾曲させたデスクトップパネルを配置したことを特徴とする。
【０００８】
このように構成しているため、天板上の空間を外部と仕切って利用可能とすることができ、効率的に利用可能なデスクシステムを提供することが可能となる。
【０００９】
さらに、コストアップを伴うことなく精度の高い湾曲面を簡単に形成することを可能とするためには、前記デスクトップパネルが可撓性を有するとともに平板状に形成されており、弾性により湾曲させた状態で前記天板の外周縁に配置されるように構成されていることが好適である。
【００１０】
また、デスクトップパネルの製作及び組立を容易にして製造コスト低減を可能とするためには、前記デスクトップパネルが、扇形天板の外周縁に沿って天板幅方向に複数に分割されており、各々の側縁同士を対向させた状態で配置されるように構成することが好適である。
【００１１】
また、デスクトップパネルの取付けをより容易にするとともに、外方からの外観を向上させるためには、前記天板の外周縁に沿って湾曲する板状の湾曲ビームを前記扇形天板の外周縁を包囲する位置に配置するとともに、当該湾曲ビームに対して前記デスクトップパネルを同一曲率で係合させるように構成することが好適である。
【００１２】
また、デスクトップパネルを簡単に湾曲させるととともに、その湾曲状態を保持可能にするためには、前記湾曲ビームの上部に上方に開口するコ字状部を形成しており、当該コ字状部に前記デスクトップパネルの下縁を嵌め込むことによって、前記湾曲ビームに対する前記デスクトップパネルの係合を行うように構成することが好適である。
【００１３】
また、上記デスクトップパネルの湾曲および湾曲状態の保持をより容易にするためには、前記湾曲ビームと同一曲率の湾曲カバー部材を設け、当該湾曲カバー部材に前記デスクトップパネルの上縁を湾曲させた状態で係合させるように構成することが好適である。
【００１４】
また、扇形の天板に沿って効果的に照明を設けることを可能とするためには、前記湾曲カバー部材に湾曲方向に沿ったライン照明を設けるように構成することが好適である。
【発明の効果】
【００１５】
以上説明した本発明によれば、内周縁を使用縁とする環状テーブルを備え、効率的に利用可能なデスクスシステムを提供することが可能となる。
【図面の簡単な説明】
【００１６】
【図１】本発明の一実施形態のデスクシステム全体を示す斜視図。
【図２】同デスクシステムを構成するデスク及びデスク同士の連結部位を模式的に示す斜視図。
【図３】同デスクの扇形天板の連結部分を示す斜視図。
【図４】同デスクシステムの扇形天板下の構成を模式的に示す平面図。
【図５】図４におけるＡ１−Ａ１部位断面図。
【図６】図４におけるＡ２−Ａ２部位断面図。
【図７】図４におけるＡ３−Ａ３部位断面図。
【図８】図４におけるＡ４−Ａ４部位断面図。
【図９】同実施形態における扇形天板を構成する天板本体や配線蓋周辺を示す構成図。
【図１０】同実施形態における扇形天板を構成する天板本体や配線蓋周辺を示す構成図。
【図１１】同実施形態において扇形天板の卓上空間を仕切る左右仕切パネルの取り付け部を示す構成図。
【図１２】同デスクシステムを構成する湾曲パネルの製法に関する説明図。
【図１３】図４におけるＡ７−Ａ７部位断面図。
【図１４】本発明の他の実施形態に係る天板下の構成を示す構成図。
【発明を実施するための形態】
【００１７】
以下、本発明の一実施形態を、図面を参照して説明する。
【００１８】
図２に示すように、本発明の一実施形態のデスクシステムＤＳを構成するデスクＤは、扇形天板１と、この扇形天板１を支持する天板支持ユニット２とを主体とするもので、天板支持ユニット２は、互いに離間して放射状に配置された一対の天板支持パネル２０・２０（天板支持パネル２０・２０は扇形天板１の中心回りに放射状に配置されている）と、対をなす天板支持パネル２０・２０を連結する天板支持パネル連結材３とを含んで構成され、天板支持ユニット２上に扇形天板１を左右にオーバーハングした状態で載置することで左右の天板支持パネル２０・２０間に下肢空間Ｐを形成している。なお、図５〜図８に示すように、天板支持パネル２０の下端面２０ａの奥行き方向（放射方向）両端部に脚部２０ｓが設けられている。
【００１９】
デスクシステムＤＳは、図１、図２及び図４に示すように、複数のデスクＤを組み合わせてなるもので、各々のデスクＤの扇形天板１の側縁１ｅ同士を突き合わせた状態で扇形天板１を連ねて少なくとも一箇所が途切れた環状テーブルとし、デスクＤ同士をユニット連結材４により互いに連結して構成されている。環状テーブルを構成する扇形天板１のうち端部となる扇形天板１下には、内向き収納空間Ｓ２が形成されているとともに、この扇形天板１下の空間を側方から隠蔽可能な対をなすエンドパネル７３・７３が取り付けられて、環状テーブルの外部と内部との出入り口が構成されている。詳細は後述する。
【００２０】
デスクシステムＤＳは、ワーカーが外周側に向かって執務するように環状テーブルの内周縁１ｂを使用縁に設定している。図１では、環状テーブルの内周に円卓等のテーブルＴを配置して複数ワーカーで簡易会議を行えるようにしている。このデスクシステムＤＳでは、図４に示すように、連ねた扇形天板１下が放射方向に配置した天板支持パネル２０によって湾曲方向に沿って複数の区画（例えばＫ１〜Ｋ７）に仕切られ、湾曲方向に沿って一つおきの区画（Ｋ２，Ｋ４，Ｋ６）に下肢空間Ｐが構成されているとともに、他の区画の一部（Ｋ１，Ｋ３，Ｋ７）の外周側に開放された外向きの収納空間Ｓ１が形成され、他の残りの区画（Ｋ５）の内周側に開放された内向きの収納空間Ｓ２が形成されている。これら外向きの収納空間Ｓ１及び内向きの収納空間Ｓ２は、図２に示すように扇形天板１のオーバーハング領域Ａｒの下方に、隣接する天板支持ユニット２の天板支持パネル２０間に棚板５０を架け渡すことによって形成されている。すなわち、図２及び図４に示すように、一つの執務範囲は一枚の扇形天板１毎に設定され、隣り合う執務範囲の境界である天板１の側端１ｅの突合せ係合部（オーバーハング領域Ａｒ）の下の収納空間（Ｓ１，Ｓ２）を配置している。天板執務範囲の下方はイスに座った執務者の下半身が位置する下肢空間Ｐである、下肢空間Ｐと収納空間（Ｓ１，Ｓ２）は天板支持パネル２０で仕切られている。この天板支持パネル２０は、下肢空間Ｐを挟んで対をなして向かい合っているとともに、収納空間（Ｓ１，Ｓ２）を挟んで対をなして向かい合っている。なお、収納空間（Ｓ１，Ｓ２）に配置される棚板５０を取り外して、ワゴンを入れるという使用態様も可能である。
【００２１】
具体的に説明すると、図２、図４〜図７に示すように下肢空間Ｐを形成する左右の天板支持パネル２０・２０の間には、天板支持パネル連結材３の一つとして扇形天板１の外周縁１ｃに沿った形状の幕板とも呼ばれる奥行き仕切パネル３０が配置されて下肢空間Ｐを奥行き方向に仕切っている。天板支持パネル２０のうち奥行き仕切パネル３０を取り付ける部位には、図２に示すように、厚み方向に貫通する貫通孔２０ｈが設けられており、奥行き仕切パネル３０の側端面３０ｅを天板支持パネル２０の貫通孔２０ｈに突き当てた状態に配置して、収納空間Ｓ１（Ｓ２）側から貫通孔２０ｈに挿入したボルトやネジ等の止着具ｖｏにより奥行き仕切パネル３０を天板支持パネル２０に固定している。この奥行き仕切パネル３０は、図４〜図６に示すように、左右の天板支持パネル２０が奥行き仕切パネル３０よりも外方（外周側）に延出するように天板支持パネル２０の外周縁２０ｃから内周側に離間した位置に配置されており、図５及び図６に示すように、左右の天板支持パネル２０と奥行き仕切パネル３０とで部分的に囲まれる位置において左右の天板支持パネル２０・２０間に板材５１を架け渡すことにより外向きの物品載置空間Ｓ３を形成している。この物品載置空間Ｓ３は、上記外向き収納空間Ｓ１に対し第二の外向き収納空間とも言える。この物品載置空間Ｓ３を形成する板材５１は、天板支持パネル２０に設けた図示しない孔等の取付部に取り付けたフックに載置されて保持されている。この物品載置空間Ｓ３を形成する板材５１は、図５及び図６に例示するように、載置する物品や用途に応じて設置数やその高さ位置が適宜設定されている。勿論、物品載置空間Ｓ３を形成する板材５１をボルトやネジ等の止着具を介して天板支持パネル２０に固定して板材５１を天板支持パネル連結材３として用いてもよい。この場合、天板支持ユニット２の連結強度を向上させることが可能となる。なお、奥行き仕切パネル３０は、扇形天板１の外周縁１ｃに沿って湾曲した形状をなしているが、奥行き仕切パネルを湾曲しない面状のものにしてもよい。
【００２２】
また、対をなす天板支持パネル２０・２０の間には、図６に示すように、天板支持パネル連結材３の一つとして扇形天板１の外周縁に沿った形状のパネル下縁材である巾木３１が配置され、この巾木３１によって左右の天板支持パネル２０・２０の外周縁２０ｃ且つ下端部同士がネジ等の止着具を介して連結されている。この巾木３１は、上記の物品載置空間Ｓ３を形成する板材５１の下端面５１ａをその上面３１ｄで支持して、板材５１に載置される物品の荷重を支持している。この巾木３１は、床と板材５１の境目となる継ぎ目で、板材５１の最下部に取り付けられる細い横板であり、汚れたり壊れたりしやすい板材５１の下部を保護するものである。
【００２３】
本実施形態のデスクシステムＤＳには、図４に示すように、上記物品載置空間Ｓ３が複数箇所に形成されているが、一部の物品載置空間Ｓ３については、図４及び図５に示すように、奥行き仕切パネル３０の外方（外周側）に、扇形天板１の外周縁１ｃに沿った形状をなす外側パネル３２を着脱可能又は開閉可能に天板支持パネル２０に取り付けることで物品載置空間Ｓ３の外周側を閉止し、物品載置空間Ｓ３を奥行き方向のいずれの方向からも隠蔽している。この外側パネル３２は、図５に示すように例えば天板１下の配線空間Ｓ４と物品載置空間Ｓ３とを電気的に接続するコンセントタップＣＴや配線Ｌｉ等の目隠し材として利用可能である。この物品載置空間Ｓ３を形成する板材５１には、図５に示すように、配線Ｌｉを通すための上下方向の貫通口５１ｈが形成されている。
【００２４】
図５〜図８に示すように、天板支持ユニット２を構成する起立した天板支持パネル２０・２０同士間には、扇形天板１よりも低い位置に扇形天板１に対向する配線棚６０がその湾曲方向側端を天板支持パネル２０に突き当てた状態で配置され、扇形天板１と配線棚６０との間に配線空間Ｓ４が形成されている。また、扇形天板１の外周縁１ｃに沿って湾曲する板状の湾曲ビーム６１が扇形天板１の外周縁１ｃを包囲し且つ扇形天板１の高さ位置を含む高さ位置に扇形天板１との間に所定隙間を隔てた状態に配置されており、天板支持パネル２０の外周縁２０ｃが湾曲ビーム６１に突き当てられた状態で図示しないＬ字ブラケットやボルト等の止着具を介して湾曲ビーム６１が天板支持パネル２０に固定されている。そして、扇形天板１の外周縁１ｃ及び配線棚６０の外周縁６０ｃを湾曲ビーム６１に突き当てた位置関係にすることで、湾曲ビーム６１が配線空間Ｓ４を外周側から隠蔽する配線隠しの役割を果たすとともに、扇形天板１の厚みを隠す目隠し材としての役割を果たすようにしている。勿論、本実施形態では、扇形天板１の上面及び下面の高さ位置を含む高さ位置に湾曲ビームを配置しているが、配線空間Ｓ４を外周側から遮蔽するために、扇形天板１の下面の高さ位置を含む高さ位置に湾曲ビームが配置されていればよく、例えば扇形天板１の上面の高さ位置を含まず扇形天板１の下面の高さ位置を含む高さ位置に配置してもよい。すなわち、湾曲ビームが扇形天板１の下面よりも下がっていなければよい。
【００２５】
湾曲ビーム６１は、図５に示すように、上記の物品載置空間Ｓ３の外周側を閉止する外側パネル３２と同一曲率で形成されて、外側パネル３２と略面一な状態に配置されている。この配線空間Ｓ４は、図４〜図８に示すように、扇形天板１、配線棚６０、左右の天板支持パネル２０及び湾曲ビーム６１で包囲された空間であって天板支持パネル２０によって左右に分断された状態にある。配線棚６０は、図５及び図６に示すように、奥行き仕切パネル３０よりも外方（外周側）にオーバーハングしており、左右の天板支持パネル２０・２０、板材５１及び奥行き仕切パネル３０で囲まれる物品載置空間Ｓ３を上方から遮蔽している。勿論、本実施形態で述べた配線棚６０を設けない構成では、扇形天板１を奥行き仕切パネル３０よりも外方（外周側）にオーバーハングさせて扇形天板１によって物品載置空間Ｓ３を上方から遮蔽するように構成してもよい。また、本実施形態では、扇形天板１は、左右一対の天板支持パネル２０に対して、その左右外方及び内周側（使用縁側）の合わせて三方向に大きくオーバーハングしているが、外周側（反使用縁側）にもオーバーハングさせて例えば外側オーバーハング領域の下に書架等を設ける構成も考えられる。この場合でも、扇形天板１のオーバーハング量は、左右外方及び内周側（使用縁側）の三方向の方が外周側（反使用縁側）よりも大きくなる。
【００２６】
扇形天板１は、図５〜図８に示すように、起立した天板支持パネル２０の上面（２０ｄ１，２０ｄ２）のうち使用縁側（内周側）の一部の載置面２０ｄ１にオーバーハング状態で載置される天板本体１０と、天板本体１０の反使用縁側（外周側）に略面一に連続して配置される配線蓋１１とを含んで構成され、配線蓋１１の反使用縁側（外周側）の端部１１ｃが配線隠しである湾曲ビーム６１に閉じられている構造をなしている。図９（ａ）及び図９（ｂ）に示すように、天板本体１０の一部である外周縁１０ｃを開口縁Ｋｅとして湾曲ビーム６１との間に開口Ｋｏを形成し、天板本体１０下に形成される配線空間Ｓ４を天板本体１０上方に開口Ｋｏを介して開放可能に構成している。
【００２７】
配線蓋１１は、図９に示すように、天板本体１０の外周縁１０ｃ（開口縁Ｋｅ）と同じ曲率で円弧状に湾曲した湾曲縁部として内周側縁部（内周縁１１ｂ）及び外周側縁部（外周縁１１ｃ）を有する扇形をなしており、開口Ｋｏを閉止する位置ｐｏ１に着脱可能に配置されている。具体的には、図９に示すように、反使用縁側（外周側）の端部（外周縁１１ｃ）を自由端として使用縁側（内周縁１１ｂ側）に設定された支点Ｃ１回りに上下方向に回転により開閉可能にヒンジ等の回転支持部１１ｇを介して天板本体１０の外周縁１０ｃに取り付けられている。すなわち、配線蓋１１の内周側に設定した被支持部（内周縁１１ｂ）と天板本体１０に設定した支持部（外周縁１０ｃ）とが回転支持部１１ｇを介して接続されて、配線蓋１１の被支持部（内周縁１１ｂ）が天板本体１０の支持部（外周縁１０ｃ）に支持されることで、配線蓋１１により閉止される配線用の開口Ｋｏを開閉可能にしている。回転支持部１１ｇは、配線蓋１１の内周円弧１１ｂの途中二箇所に設けられている。一般的な直線状の配線蓋を回転可能に構成した場合には、配線蓋の側端又はその近傍に設定された支点回りに回転することになるものの、本実施形態では、配線蓋１１が円弧状に湾曲していることによって配線蓋１１のうち回転支持部１１ｇ同士の間の部位の回転支点Ｃ１が配線蓋１１の内周端から更に内周側に変位した位置となり、直線状の配線蓋に比して回転半径が広がる。この場合、同じ回転角度であっても直線状や矩形状の配線蓋に比べて配線空間Ｓ４への開口が広くなる。このように配線蓋１１を円弧状に形成し、内周側に設定した二箇所の回転支持部１１ｇを結ぶ回転軸Ｃ１回りに外周側を自由端として回転させることで、閉止位置ｐｏ１において配線蓋１１が天板本体１０下の配線空間Ｓ４を上方から遮蔽し、開成位置ｐｏ２において直線状の配線蓋に比して配線蓋１１が閉止位置ｐｏ１から大きく退避させることが可能となる。この結果、配線空間への配線の出し入れが容易となる。また、配線蓋１１の湾曲縁部（内周円弧１１ｂ）の途中二箇所を天板本体１０に支持させた状態で回転させながら片開きしているので、配線蓋１１の部位によって上にあがる部位と下に下がる部位が生じ、配線蓋１１の両側端部を二点支持する場合に比べて重心移動が少ないので動作が軽くなり、開けやすくしている。また、配線蓋１１の湾曲縁部の途中二箇所を支持しているので、配線蓋の両側端部を二点支持する場合に比べて配線蓋に必要な剛性を下げて配線蓋を軽量化することができるとともに、単純な軸受構造で支持することを可能としている。
【００２８】
配線蓋１１は、図５、図９（ｂ）及び図１０（ｂ）に示すように、面板部１１ｘの湾曲縁部たる内周縁１１ｂから下方（天板支持パネル２０側）に延びる垂下部１１ｙが形成されて断面略Ｌ字状をなしており、樹脂の一体成型により作製される。配線蓋１１は、面板部１１ｘの厚み方向寸法Ｗ１を天板本体１０の厚み方向寸法Ｗ２よりも小さく設定することにより、面板部１１ｘの下面１１ａと天板支持パネル２０の上面２０ｄ２（載置面２０ｄ１以外の上面）との間に閉止位置ｐｏ１において天板支持パネル２０で仕切られる左右の配線空間Ｓ４同士を連絡する横配線用隙間ＳＸが形成される状態で配線蓋１１が取り付けられている。図１３に示すように、各々のデスクＤの天板本体１０の下方且つ対をなす天板支持パネル２０の間には第一の配線空間Ｓ４ａ（Ｓ４）が形成され、突き合わせ状態で連ねた天板本体１０のオーバーハング領域Ａｒの下方に第二の配線空間Ｓ４ｂ（Ｓ４）が形成されており、これら第一の配線空間Ｓ４ａ及び第二の配線空間Ｓ４ｂは、天板支持パネル２０で分断される構造であるものの、閉止位置ｐｏ１において横配線用隙間ＳＸが形成されることによって、図１０（ｂ）に示すように配線蓋１１を開けた状態で天板支持パネル２０の上面（２０ｄ１，２０ｄ２）のうち天板本体１０が載置される載置面２０ｄ１以外の上面２０ｄ２を乗り越えるように配線Ｌｉを引き回し、その後に配線蓋１１を閉めても配線蓋１１と配線Ｌｉとが干渉せず、横配線用隙間ＳＸを介して一方の天板本体１０下の配線空間Ｓ４から他方の天板本体１０下の配線空間Ｓ４に配線を引き回し可能にしている。この場合、天板支持パネル２０に横配線用の貫通孔や切り欠き等を設ける必要がない。そして、図１３に示すように、連ねた天板本体１０下の第一及び第二の配線空間Ｓ４ａ・Ｓ４ｂを一連の配線空間として複数の天板本体１０に亘って配線Ｌｉを引き回す利用形態を実現している。よって、例えば或るデスクＤの近くに電力線や通信線等のコンセントがない場合でも他のデスクＤから配線Ｌｉを引き回して利用することを可能にしている。
【００２９】
配線蓋１１には、図９（ｂ）に示すように、垂下部１１ｙに静止面１１ｙｂが設定されており、配線蓋１１が閉止位置ｐｏ１にあるときに静止面１１ｙｂを天板本体１０の外周端面１０ｃに突き当てる（接触する）ことで、配線蓋１１の下方に向かう回転動作を規制し、閉止位置ｐｏ１から開成位置ｐｏ２への開き動作のみを許容し、配線蓋１１の閉止位置ｐｏ１を規定する閉止位置規定部１１ｚを構成している。この閉止位置規定部１１ｚによって配線蓋１１に荷重が作用しても配線蓋１１が下方に回転せず、配線蓋１１の上面１１ｄと天板本体１０の上面１０ｄとにズレが生じることを抑制又は防止している。
【００３０】
また、閉止位置ｐｏ１において配線蓋１１の垂下部１１ｙの下面１１ｙａを天板支持パネル２０の上面２０ｄ２で支持するように、配線蓋１１と天板支持パネル２０との位置関係を規定し、配線蓋１１に作用する荷重を天板支持パネル２０の上面２０ｄ２で支持するように構成してある。この結果、天板本体１０と同様に配線蓋１１に対して物品を載置しても適切に荷重が支持され卓上領域を広げて有効利用することが可能となる。
【００３１】
配線蓋１１の反使用縁側（外周側）の端部１１ｃには、図９（ａ）及び図１０（ａ）に示すように、軟質樹脂１２が取り付けられており、配線蓋１１が閉止位置ｐｏ１にある場合に、配線蓋１１と配線隠したる湾曲ビーム６１との間に配置された軟質樹脂１２によって配線蓋１１と湾曲ビーム６１との間の配線空間Ｓ４の開口を閉止するとともに、一部を弾性変形させることにより閉止状態で扇形天板１の上方から配線空間Ｓ４への配線の引き回しを可能としている。配線蓋１１の反使用縁側（外周側）の端部１１ｃには、反使用縁側（外周側）に向けて開口し外周側に向かって幅狭となる取付溝部１１ｍが配線蓋１１の外周縁１１ｃ全域に亘って形成されており、軟質樹脂１２を配線蓋１１の側方から湾曲方向にスライドさせながら取付溝部１１ｍに挿入することで、接着剤や取り付け具を要することなく軟質樹脂１２を配線蓋１１に取り付けている。なお、本実施形態では、配線蓋１１は、上下方向に回転により開閉可能に構成されているが、その他の態様として着脱可能にすることや、配線蓋を湾曲方向に沿ったスライドにより開閉可能にすることが挙げられる。スライド開閉する場合には、湾曲方向に沿った左右の配線蓋の曲率を同じにすることで、配線蓋を左右（湾曲方向）に重ねるようにスライドさせることが可能となる。この場合、配線蓋をスライド動作させるためのガイドレールを蓋の上面又は下面に設けると、蓋の端部を押すだけで円滑なスライド動作を実現することが可能となる。
【００３２】
図２の扇形天板１（天板本体１０）の内周縁１ｂ（１０ｂ）には、図５〜図８に示すように、外周側から内周側に向けて幅狭に形成され且つ扇形天板１の内周縁１ｂに沿う形状に形成された弾性変形可能な扇形エッジ部材１３が、環状の中心方向に突出するように扇形天板１の内周縁１ｂに取り付けてあり、図１及び図２に示すように、扇形天板１を連ねた場合に扇形エッジ部材１３同士が円環に沿って突き合わせた状態となる。このように、扇形エッジ部材１３が扇形であると、内周側に張り出した部位に荷重が作用しても直線エッジ部材に比して載置荷重を受けた際に扇の内周縁径が変化する方向すなわち上下方向へ撓みにくくなり、例えばアームレスト等の用途に適した荷重に対する強度を確保している。
【００３３】
扇形天板１は、図３に示すように、側縁１ｅ同士を突き合わせた状態で連結されるが、各々の側縁部１ｅの下面に対をなす連結凹部１ｇを設け、一方の扇形天板１の連結凹部１ｇから他方の扇形天板１の連結凹部１ｇまで貫通する連結孔１ｈが形成されており、ユニット連結材４の一つである図示しないボルト等の止着具をこの連結孔１ｈに通して両扇形天板１同士を固定している。
【００３４】
湾曲ビーム６１の上部には、図５〜図８に示すように、上方に開口する断面コ字状のコ字状部としての上溝部６１ｍが形成されており、図２に示すように、可燒性のあるデスクトップパネル７０をこの上溝部６１ｍに嵌め込んで係り合せることで、デスクトップパネル７０を弾性により湾曲させた状態で環状テーブル、すなわち扇形天板１の外周縁１ｃに沿って起立させて配置している。各デスクＤ毎に一枚のデスクトップパネル７０を起立させて、各々の側縁７０ｅ同士を対向させつつ突き合わせた状態で配置することで図１に示すように扇形天板１の外周縁１ｃに沿って周回するデスクトップパネル７０を分割構造で構成している。このデスクトップパネル７０には、一部又は全部に半透明な素材を用いて、又は、すりガラスのように半透明になる表面処理が施されて、扇形天板１上の書類に対する機密性が守られるとともに、デスクトップパネル７０同士の継ぎ目を目立たなくなるようにしてある。
【００３５】
デスクトップパネル７０の上縁には、図１及び図２に示すように、湾曲ビーム６１と同一曲率の湾曲カバー部材７１を設け、この湾曲カバー部材７１に湾曲方向に沿って形成された下方に開口する下溝部７１ｍにデスクトップパネル７０の上端を嵌め込んで係り合わせることで、平板状のデスクトップパネル７０を湾曲カバー部材７１及び湾曲ビーム６１と同じ曲率で簡単に湾曲させることができ、この湾曲状態を湾曲ビーム６１及び湾曲カバー部材７１が保持している。上記の湾曲ビーム６１及び湾曲カバー部材７１はアルミ押出しで精度良く作れる。この湾曲カバー部材７１には、湾曲方向沿って複数のＬＥＤを配列したライン照明を設けており、ライン照明７１Ｓに電力を供給するための電力線が湾曲方向に沿って湾曲カバー部材７１に内蔵してある。湾曲カバー部材７１の側縁部７１ｅには、隣接する湾曲カバー部材７１の電力線又はライン照明７１Ｓ同士を接続するオス型又はメス型のコネクタが配置されており、これらコネクタ同士を嵌め合いにより係り合わせることで湾曲カバー部材７１同士の連結強度を向上させている。
【００３６】
図２に示すように、扇形天板１のオーバーハング領域Ａｒの下方に棚板５０を用いて収納空間Ｓ１（Ｓ２）を形成する天板支持パネル２０・２０の間には、図４、図７及び図８に示すように、ユニット連結材４の一つとして扇形天板１の湾曲方向に沿った形状の収納空間仕切パネルとも呼ばれる目隠しパネル８０が配置されて、収納空間Ｓ１（Ｓ２）を奥行き方向に仕切っている。この目隠しパネル８０は、扇形天板１の奥行き方向の一端側（内周側）又は他端側（外周側）のいずれにも左右の天板支持ユニット２同士を連結する状態で取り付け可能にされている。この目隠しパネル８０は、扇形天板１のオーバーハング領域Ａｒ下の空間を内周側又は外周側のいずれかを閉止する位置で図示しないＬ字ブラケットやボルト等の止着具を介して天板支持パネル２０に固定される。図４及び図８に示すように、扇形天板１のオーバーハング領域Ａｒ下の空間の奥行き方向の内方（内周側）を閉止する位置ｉｎに目隠しパネルを取り付けた場合には、収納空間が外周側に開放される外向き収納空間Ｓ１となる一方で、図４及び図７に示すように、奥行き方向の外方（外周側）を閉止する位置ｏｕｔに目隠しパネルを取り付けた場合には、収納空間が内周側に開放される内向き収納空間Ｓ２となる。このように目隠しパネル８０を内周側又は外周側のいずれに取り付けるかによって収納空間を選択的に外向き収納空間Ｓ１または内向き収納空間Ｓ２となし得るようにしている。図２、図７及び図８に示すように、天板支持パネル２０間に架け渡される棚板５０は、天板支持パネル２０に設けた図示しない孔等の取付部に取り付けたフックに載置されて保持される。この収納空間を形成する棚板５０は、収納する物品や用途に応じて設置数やその高さ位置が適宜設定されている。勿論、棚板５０をボルト等の止着具を介して天板支持パネル２０に固定して棚板５０をユニット連結材４として用いてもよい。この場合、デスクＤ同士（天板支持ユニット２同士）の連結強度を向上させることが可能となる。図７に示すように、内向き収納空間Ｓ２の外周側に配置される目隠しパネル８０（ｏｕｔ）は、上記の湾曲ビーム６１と同一曲率で形成されて、湾曲ビーム６１と略面一な状態に配置されている。なお、外周側に配置される目隠しパネル８０（ｏｕｔ）は、湾曲ビーム６１と同一曲率で形成されているが、内周側に配置される目隠しパネル８０（ｉｎ）は、湾曲しない面状のものにしてもよい。
【００３７】
また、図７及び図８に示すように、天板支持パネル２０・２０同士の間には、ユニット連結材４の一つとして扇形天板１の湾曲方向に沿った形状のパネル下縁材である巾木４１が配置され、この巾木４１によって天板支持パネル２０の外周端２０ｃ（又は内周端２０ｂ）且つ下端部同士がネジ等の止着具を介して連結されている。この巾木４１は、上面を支持面４１ｄに設定してあり、上記の収納空間を形成する棚板５０の下端面５０ａを支持面４１ｄで支持して、棚板５０に加わる荷重を支持している。この巾木４１は、床と棚板５０の境目となる継ぎ目で、棚板５０の最下部に取り付けられる細い横板であり、汚れたり壊れたりしやすい棚板５０の下部を保護するものである。
【００３８】
扇形天板１を連接することで構成される環状テーブルは、図１及び図４に示すように、少なくとも一箇所が途切れたものであり、環状テーブルを構成する扇形天板１のうち端部に位置する扇形天板１同士の間は連結されていない。これら扇形天板１の側端１ｅは、天板支持パネル２０とほぼ同様の構成をなす端部支持パネル７２で支持されており、互いに対向する端部支持パネル７２及び天板支持パネル２０との間に上記と同様に内向き収納空間Ｓ２がハーフサイズで形成されている。この内向き収納空間Ｓ２を形成する構成は上記と同様であるので説明を省略する。
【００３９】
また、端部に位置する扇形天板１下の空間を側方から隠蔽可能なエンドパネル７３・７３が対をなして取り付けてある。これら対をなすエンドパネル７３・７３は、図１及び図４に示すように、鉛直方向の軸回りに回転可能にデスクＤ（端部支持パネル７２等）に取り付けられて、第一の回転位置ｐｏ３において各々のデスクＤの扇形天板１下の空間を側方から隠蔽し、各々のエンドパネル７３の先端７３ｅ同士を突き合わせた状態となる第二の回転位置ｐｏ４において環状テーブルの外部と内部とを遮蔽する開閉扉としての役割を果たしている。勿論、エンドパネル７３・７３を開閉可能に構成せず、図３に示す扇形天板１同士を連結するための上記連結孔１ｈを用いてボルト等の止着具でエンドパネル７３と扇形天板１とを連結するように構成してもよい。
【００４０】
デスクＤ同士の連結部分には、図１１に示すように、扇形天板１の卓上空間を湾曲方向に仕切る左右仕切パネル７４が取り付け可能に構成されている。左右仕切パネル７４は、扇形天板１に取り付けられる仕切パネル受け部７５と、湾曲カバー部材７１に取り付けられる仕切パネル押さえ部７６とにより固定される。仕切パネル受け部７５は、下方に向けて延びる鍔部７５ａを突き合わせた扇形天板１の側端１ｅ同士で挟み込むことで扇形天板１に取り付けられ、左右仕切パネル７４の下端部を厚み方向両側から挟み込む挟持側壁７５ｂ・７５ｂ及び左右仕切パネルの内周端に係り合う挟持内壁７５ｃによって左右仕切パネル７４を保持する構造をなしている。仕切パネル押さえ部７６は、下方に開口する断面コの字をなす押さえ部７６ａで左右仕切パネルの上端を保持しつつ、湾曲カバー部材にネジ等の止着具ｖｏで固定される。
【００４１】
上記の奥行き仕切パネル３０や外側パネル３２、巾木３１、巾木４１、湾曲ビーム６１等の湾曲した湾曲パネルＰＬを製造するにあたり、図１２（ａ）に示すように、板金加工等によって矩形状のベース面ＰＬ１の側端の起立壁ＰＬ２に切り欠きＰＬａを設けることで湾曲を可能としたパネルＰＬに対し、ベース面ＰＬ１に型Ｄｉを当てながらベース面ＰＬ１を湾曲させて湾曲パネルＰＬを作製するのが通例であるが、図１２（ｃ）に示すように、起立壁ＰＬ２における一端から他端に亘って切り欠きＰＬａを設けると、外部から切り欠きＰＬａが視認可能となり美観を損なってしまう。そこで、図１２（ｂ）に示すように、起立壁ＰＬ２においてベース面ＰＬ１側の端部に１mm程の余白ＰＬｂを残して切り欠きＰＬａを形成することで、外部から切り欠きＰＬａが視認されて美観を損なうことを退避している。
【００４２】
以上のように、本実施形態のデスクシステムＤＳは、扇形天板１を連ねて少なくとも一箇所が途切れた環状テーブルを構成するとともに、前記扇形天板１の外周縁１ｃに沿って湾曲させたデスクトップパネル７０を配置するように構成したものである。
【００４３】
このように構成しているため、環状テーブルの途切れた部分を出入り口として内周側に着座可能とするとともに、扇形天板１上の空間を外部と仕切って効率的に利用することが可能となっている。
【００４４】
さらに、デスクトップパネル７０が可撓性を有するとともに平板状に形成されており、弾性により湾曲させた状態で扇形天板１の外周縁１ｃに配置されるように構成しているため、コストアップを伴うことなく精度の高い湾曲面を簡単に形成することが可能となっている。
【００４５】
また、デスクトップパネル７０が、扇形天板１の外周縁１ｃに沿って天板幅方向に複数に分割されており、各々の側縁７０ｅ同士を対向させた状態で配置されるように構成されているため、デスクトップパネル７０の製作及び組立が容易となり製造コストの低減が可能となっている。
【００４６】
また、扇形天板１の外周縁１ｃに沿って湾曲する板状の湾曲ビーム６１を扇形天板１の外周縁１ｃを包囲する位置に配置するとともに、当該湾曲ビーム６１に対してデスクトップパネル７０を同一曲率で係合させるように構成しているため、デスクトップパネル７０の取付けがより容易になるとともに、外方からの外観を向上させることも可能となっている。
【００４７】
また、湾曲ビーム６１の上部に上方に開口する上溝部６１ｍを形成しており、当該上溝部６１ｍにデスクトップパネル７０の下縁を嵌め込むことによって、湾曲ビーム６１に対するデスクトップパネル７０の係合を行うように構成しているため、デスクトップパネル７０を簡単に湾曲させて、その湾曲状態を保持することが可能となっている。
【００４８】
また、湾曲ビーム６１と同一曲率の湾曲カバー部材７１を設け、当該湾曲カバー部材７１に前記デスクトップパネル７０の上縁を湾曲させた状態で係合させるように構成しているため、デスクトップパネル７０の湾曲および湾曲状態の保持をより容易にすることが可能となっている。
【００４９】
また、湾曲カバー部材７１に湾曲方向に沿ったライン照明７１ｓを設けるように構成しているため、扇形天板１に沿って効果的に照明を設けることを可能となっている。
【００５０】
なお、各部の具体的な構成は上述した実施形態のみに限定されるものではなく、本発明の趣旨を逸脱しない範囲で種々変形が可能である。
【００５１】
例えば、本実施形態では、外向き収納空間Ｓ１は外周側に開放された状態であるが、図８において想像線で示すように、外向き収納空間Ｓ１の外周側を閉止可能な位置に扇形天板１の外周縁１ｃに沿った形状の湾曲外側パネル３３を着脱可能又は開閉可能に設け、湾曲外側パネル３３を閉止状態で湾曲ビーム６１と略面一になるように構成してもよい。このように構成すると、外観を損なうことなく、外向き収納空間Ｓ１の外周側を閉止する湾曲外側パネル３３を設けることが可能となる。すなわち、外向き収納空間Ｓ１に収納される被収納物を外周側から遮蔽して見栄え（外観）を向上させるとともに、外向き収納空間Ｓ１への防塵効果を期待でき、併せて、湾曲外側パネルと湾曲ビームとの略面一な位置関係により全体として統一感を得ることが可能となる。
【００５２】
また、本実施形態では、配線蓋１１は、天板１の上方と天板１下方にある配線空間Ｓ４との間を遮蔽する位置で上下方向への回転により開閉するものであるが、配線棚６０すなわち配線空間Ｓ４を形成せずに天板１下に物品載置空間Ｓ３を配置すると、配線蓋が天板の上方と天板下方にある物品載置空間との間を遮蔽する位置に上下方向への回動により開閉可能な蓋となる。この場合、物品載置空間にある物品を上方から遮蔽して上方からの見栄え（外観）を向上させることが可能となる。
【００５３】
さらに、本実施形態では、配線蓋１１は、外周縁１１ｃを自由端として内周縁１１ｂ側に設定された支点Ｃ１回りに回転により開閉可能に構成されているが、逆に内周縁１１ｂを自由端として外周縁１１ｃに設定された支点回りに回転により開閉可能に構成してもよい。また、本実施形態では、軟質樹脂１２を配線蓋１１に取り付けているが、軟質樹脂１２を湾曲ビーム６１に取り付けてもよい。さらに、本実施形態では、配線蓋１１と湾曲ビーム６１との間に軟質樹脂１２を配置しているが、配線蓋１１と天板本体１０との間に軟質樹脂１２を配置してもよい。この場合、軟質樹脂は配線蓋１１又は天板本体１０のいずれに取り付けてもよい。
【００５４】
さらにまた、本実施形態では、天板支持パネル２０に外側パネル３２及び奥行き仕切パネル３０を取り付けて、外側パネル３２及び奥行き仕切パネル３０の間に物品載置空間Ｓ３を形成しているが、図１３（ａ）及び図１３（ｂ）に示すように、奥行き仕切パネル３０の代わりに、上部の中央部１３０ｅを切り欠いた状態にした奥行き仕切パネル１３０をその両側端面３０ｅを天板支持パネル２０に固定することで、使用縁側（内周側）から下肢空間Ｐを介して物品載置空間Ｓ３に対して鞄等の物品を出し入れ可能に構成してもよい。また、図１３（ｃ）に示すように、物品載置空間Ｓ３を形成する板材５１に対して奥行き仕切パネル２３０をスライド丁番を介して開閉可能に取り付けることで使用縁側（内周側）から下肢空間Ｐを介して物品載置空間Ｓ３に対し鞄等の物品を出し入れ可能に構成してもよい。この構成によれば、天板下の空間を使用に適した状態で有効に利用することが可能となる。
【００５５】
その他、各部の具体的な構成は、上述した実施形態のみに限定されるものではなく、本発明の趣旨を逸脱しない範囲で種々変形が可能である。
【符号の説明】
【００５６】
１…扇形天板
１ｂ…扇形天板の内周縁
１ｃ…扇形天板の外周縁
１３…扇形エッジ部材
２…天板支持ユニット
２０…天板支持パネル
３０…奥行き仕切パネル
３１…巾木
３３…湾曲外側パネル
６１…湾曲ビーム
７０…デスクトップパネル
７０ｅ…デスクトップパネルの側縁
７１…湾曲カバー部材
７１Ｓ…ライン照明
７３…エンドパネル
８０…目隠しパネル（収納空間仕切パネル）
ＤＳ…デスクシステム
Ｐ…下肢空間
Ｓ１…外向き収納空間
Ｓ２…内向き収納空間
Ｓ３…物品載置空間（第二の外向き収納空間）
Ｋ１〜Ｋ７…区画
Ｋ２，Ｋ４，Ｋ６…下肢空間が構成される区画
Ｋ１，Ｋ３，Ｋ７…外向き収納空間が構成される区画
Ｋ５…内向き収納空間が構成される区画